(57)【特許請求の範囲】
【請求項１】
携帯機器と面積が同程度か又はそれよりもやや大きい板状の基材と、
前記携帯機器を前記基材とともに相互に対向して覆うための板状の蓋部材と、
前記基材と前記蓋部材とを繋いでそれらを開閉可能になすためのヒンジ部と、
前記携帯機器を嵌合させて保持するための保持部材と、を備えた携帯機器用ホルダーであって、
前記蓋部材は、前記保持部材により保持された前記携帯機器を該蓋部材の面に沿って移動させるためのスライド部材が設けられており、
前記基材は、その上方部よりも下方部の重量が大きくなるような構造を備えてなることを特徴とする携帯機器用ホルダー。
【請求項２】
前記蓋部材は、少なくとも２本のスリットを有し、
前記スライド部材は、２本の前記スリット間の一部を前記蓋部材の表面から裏面にかけて包むように設けられ、前記保持部材と固着されている、請求項１記載の携帯機器用ホルダー。
【請求項３】
前記蓋部材は、その左右両側で、前記保持部材側一面上に前記スライド部材の左右を収容可能な構造とし、該蓋部材の片側を該スライド部材の一部と段階的に嵌合するように構成された、請求項１記載の携帯機器用ホルダー。
【請求項４】
使用時に、前記携帯機器を使用する者の胸部から腹部にかけての所望する位置において使用される、請求項１〜３の何れかに記載の携帯機器用ホルダー。
【請求項５】
前記基材の上部に、取り付け部が設けられ、該取り付け部に吊り下げ用紐を取り付けて使用される、請求項４記載の携帯機器用ホルダー。
【請求項６】
前記スライド部材は、その摩擦抵抗が適切に調整され、手動で上下に移動及び停止可能になされている、請求項１〜５の何れかに記載の携帯機器用ホルダー。
【請求項７】
前記携帯機器が、スマートフォン又はタブレット型携帯情報端末である、請求項１〜６の何れかに記載の携帯機器用ホルダー。
【発明の詳細な説明】
【技術分野】
【０００１】
本発明は、スマートフォン、タブレット型携帯情報端末等の携帯機器（携帯電話端末、携帯電子デバイスを含む）の持ち運びに便利な携帯機器用ホルダー、詳細には、持ち運び、収納、開閉、位置調整、操作等の複数の機能を一体的に持ち合わせた携帯機器用ホルダーに関する。
【背景技術】
【０００２】
従来から、スマートフォン等の携帯電子機器が広く利用され、これを持ち運ぶ際には、安易に落とさないように手に固定するホルダーやケースに入れる等のさまざまな工夫がなされてきた。
【０００３】
これまでに、例えば、スマートフォン等の携帯機器の側面又は側面付近に、指挿通部を形成し得る伸縮性部材を取り付け、落下防止を図るとともに操作する指の可動域を広げ、片手での操作を容易にする携帯機器用落下防止ホルダー（特許文献１）が開示されている。このように、片手を使って、指で止める等の手段は散見されるものの、両手を使わずに落下を防止する手段ではなかった。
【０００４】
また、嵩張らず、持ち運びしやすく、ポケットや鞄から出し入れの必要がなく、音楽を聴く時も両手フリーにできる吊りスマートフォンケース（特許文献２）が開示されている。
【０００５】
しかしながら、このケースでは、両手をフリーにしての持ち運びには便利かもしれないが、スマートフォンをケースから取り出し、画面を表示してそれを視る際には結局手を使う必要がある。このため、持ち運びに便利であり、一度画面を開けば手を使わなくても表示部位を確認できるようなスマートフォン等のための物品が望まれていた。
【先行技術文献】
【特許文献】
【０００６】
【特許文献１】特開２０１５−２３５６４号公報
【特許文献２】特開２０１５−２１３７２０号公報
【発明の概要】
【発明が解決しようとする課題】
【０００７】
本発明は、スマートフォンなどの携帯機器の持ち運び、収納、開閉、位置調整、操作等の複数の機能を一体的に持ち合わせた携帯機器用ホルダーを提供することを目的とする。
【課題を解決するための手段】
【０００８】
本発明者は、前記課題を解決するべく鋭意研究した結果、スマートフォンを両面から覆う二の板状部材とこれらをヒンジで繋いで開閉可能になし、スマートフォンを保持するための保持部材を設けて特定の可動構造とした携帯機器用ホルダーが、前記目的を達成し得ることの知見を得た。
【０００９】
本発明は、前記知見に基づきなされたもので、下記の発明を提供することにより、その目的を達成したものである。
【００１０】
１．携帯機器と面積が同程度か又はそれよりもやや大きい板状の基材と、
前記携帯機器を前記基材とともに相互に対向して覆うための板状の蓋部材と、
前記基材と前記蓋部材とを繋いでそれらを開閉可能になすためのヒンジ部と、
前記携帯機器を嵌合させて保持するための保持部材と、を備えた携帯機器用ホルダーであって、
前記蓋部材は、前記保持部材により保持された前記携帯機器を該蓋部材の面に沿って移動させるためのスライド部材が設けられており、
前記基材は、その上方部よりも下方部の重量が大きくなるような構造を備えてなることを特徴とする携帯機器用ホルダー。
【００１１】
２．前記蓋部材は、少なくとも２本のスリットを有し、
前記スライド部材は、２本の前記スリット間の一部を前記蓋部材の表面から裏面にかけて包むように設けられている、前記１記載の携帯機器用ホルダー。
【００１２】
３．前記蓋部材は、その左右両側で、前記保持部材側一面上に前記スライド部材の左右を収容可能な構造とし、該蓋部材の片側を該スライド部材の一部と段階的に嵌合するように構成された、前記１記載の携帯機器用ホルダー。
【００１３】
４．使用時に、前記携帯機器を使用する者の胸部から腹部にかけての所望する位置において使用される、前記１〜３の何れかに記載の携帯機器用ホルダー。
【００１４】
５．前記基材の上部に、取り付け部が設けられ、該取り付け部に吊り下げ用紐を取り付けて使用される、前記４記載の携帯機器用ホルダー。
【００１５】
６．前記スライド部材は、その摩擦抵抗が適切に調整され、手動で上下に移動及び停止可能になされている、前記１〜５の何れかに記載の携帯機器用ホルダー。
【００１７】
７．前記携帯機器が、スマートフォン又はタブレット型携帯情報端末である、前記１〜６の何れかに記載の携帯機器用ホルダー。
【発明の効果】
【００１８】
本発明によれば、スマートフォンなどの携帯機器の持ち運び、収納、開閉、位置調整、操作等の複数の機能を一体的に持ち合わせた携帯機器用ホルダーを提供することができる。
【図面の簡単な説明】
【００１９】
【図１】本発明の一実施形態に係る携帯機器用ホルダーの使用状態の一例を示す正面図である。
【図２】図１の携帯機器用ホルダーを左上方向から見た状態を示す斜視図である。
【図３】図２の携帯機器用ホルダーにおける蓋となる部材を開いた状態を示す斜視図である。
【図４】図３の携帯機器用ホルダーにおける携帯機器を保持部材とともに上部にスライドさせた状態を示す斜視図である。
【図５】図４の携帯機器用ホルダーの一部から携帯機器を省略して示す斜視図である。である。
【図６】図５の携帯機器用ホルダーにおける蓋となる部材を手前にして右上方向から視た状態を示す斜視図である。
【図７】図６の携帯機器用ホルダーにおける蓋となる部材を１８０°以上開いて置物とした状態を示す斜視図である。
【図８】（ａ）は、本発明の他の実施形態に係る携帯機器用ホルダーの使用状態の一例を示す斜視図及びその一部概略正面図である。（ｂ）は、本発明のさらに他の実施形態に係る携帯機器用ホルダーの使用状態の一例を示す斜視図及びその一部概略正面図である。
【発明を実施するための形態】
【００２０】
以下、本発明について、その好ましい実施形態に基づき詳細に説明する。
本発明の一実施形態に係る携帯機器用ホルダーは、図１に示すように、通常、スマートフォンやタブレット型携帯情報端末等の携帯機器を使用する者の胸部から腹部にかけての所望する位置において使用される。このような位置に設置すれば、携帯機器の持ち運び、収納、開閉、位置調整、操作等の機能を容易に発揮できるため好ましい。この際、例えば、吊り下げ用紐１２等を携帯機器用ホルダー１０に取り付けて使用することができる。
【００２１】
本実施形態に係る携帯機器用ホルダー１０について、蓋を閉じてある状態の正面図（図１）、同斜視図（図２）、蓋を開いた状態の斜視図（図３）、携帯機器としてのスマートフォン２０を移動させた状態の斜視図（図４）等を参照しながら説明する。
【００２２】
本実施形態の携帯機器用ホルダー１０は、図１〜図４に示すように、スマートフォン２０と面積が同程度か又はそれよりもやや大きい板状の基材１と、スマートフォン２０を基材１とともに相互に対向して覆うための板状の蓋部材２と、基材１と蓋部材２とを繋いでそれらを開閉可能になすためのヒンジ部３と、携帯機器２０を嵌合させて保持するための保持部材４と、を備えている。
【００２３】
そして、蓋部材２は、その面の左右それぞれの側に長手方向に細長の孔である２本のスリット２１，２１を有するとともに、保持部材４により保持された携帯機器２０をスリット２１，２１に沿って移動させるためのスライド部材２２が設けられている。
【００２４】
スライド部材２２は、２本のスリット２１，２１間の一部を蓋部材２の表面から裏面にかけて包むように設けられ、保持部材４と固着されている（図５、図６参照）。ここで、スライド部材２２は、蓋部材２の表面（外側）から裏面（内側）にかけて、スリット２１，２１間の形状に沿って帯状になされており、表面では繋がっているが裏面で一部離間した形状とされている。そして、スライド部材２２と保持部材４とが固着されているのは、図５における斜線部分である。
【００２５】
スライド部材２２は、その摩擦抵抗が適切に調整され、手動でスリット２１を移動及び停止可能になされていることが、簡易構造にできるため好ましい。なお、スライド部材２２として摩擦抵抗のない自然に動くフリーなものを使用する場合は、スライド部材２２に固着された保持部材４のスマートフォン２０を適宜な位置に留ませることのできるストッパー部材を別に設ける等により、本発明の機能を発揮することができる。
【００２６】
本実施形態においては、基材１の上部に、取り付け部１１が設けられ、該取り付け部１１に吊り下げ用紐を取り付けて首紐等として使用されることが好ましい。
【００２７】
本実施形態に係る携帯機器用ホルダー１０は、上記の構造を備えるため、スマートフォン２０等の携帯機器の持ち運びに便利であり、その収納や開閉のほか、位置調整や操作し易い等の機能を有している。
【００２８】
次に、本実施形態に係る携帯機器用ホルダー１０の機能について、使用時における状態を示して説明する。
まず、携帯機器用ホルダー１０を持ち運ぶ際には、図１及び図２に示すように、スマートフォン２０を保持部材４に嵌め込み、蓋部材２を閉じた状態とする。このとき、蓋部材２を閉じたまま動かないように、必要に応じて、基材１及び蓋部材２それぞれの上部中央部位を挟んで止める蓋止め部材２４を取り付けることもできる。そして、基材１の上部に設けた取り付け部１１に吊り下げ用紐を取り付けて、これを首にかけて携帯機器用ホルダー１０を使用者の胸部から腹部における所望の位置に保持して持ち運ぶ。このように、携帯機器用ホルダー１０は、両手をフリーにしたまま、いつでも、すぐにスマートフォン２０を適切な位置で開ける状態にしておくことができる。
【００２９】
携帯機器用ホルダー１０におけるスマートフォン２０を使う際には、図３に示すように、蓋部材２を矢印の方向に開く。このとき、蓋部材２におけるスライド部材２２（スマートフォン２０及びの保持部材４の裏側で図３に示されていない）に固着された保持部材４の中のスマートフォン２０が、蓋部材２と連動して開くことになる。蓋部材２を開く際には、スマートフォン２０を操作、閲覧等し易くなるように、適宜な角度まで開いて止める。特にスマートフォン２０の画面を閲覧するだけの場合には、両手をフリーにして行うことができる。
【００３０】
そして、図４に示すように、携帯機器用ホルダー１０におけるスマートフォン２０を保持部材４ごと斜め上（矢印の方向）に引き伸ばす。これにより、スマートフォン２０の操作、閲覧等を一層し易くなる。
【００３１】
上記のようなスマートフォン２０の引き伸ばしについては、図５及び図６（スマートフォン２０を省略した図）に示すように、携帯機器用ホルダー１０における蓋部材２の２本のスリット２１，２１に沿って、保持部材４に固着したスライド部材２２が下から上に移動することで可能な構造とされている。
【００３２】
本実施形態に係る携帯機器用ホルダー１０は、持ち運びの必要がない場合には、ヒンジ部３を調整して、携帯機器用ホルダー１０における蓋部材２を１８０°以上開いて置物として用いることもできる。例えば、図７に示すように、基材１に対して蓋部材２を２７０°〜３００°程度開くことで、基材１と底面部２３を土台として蓋部材２の前面でスマートフォン２０（図７に図示せず）を保持した保持部材４が上下にスライド可能な置物として用いることもできる。本実施形態において、底面部２３は、ヒンジ部３上中央部に位置するもので、基材１及び蓋部材２それぞれの幅よりも小さく、右側面視でＬ字状の蓋部材２と一体的なものとして構成される。
【００３３】
本実施形態においては、ヒンジ部３自体の摩擦抵抗により、簡易な構造として、蓋部材２を手で動かしたり、適宜な位置に留めることができる。なお、ヒンジ部３として摩擦抵抗のない自然に動くフリーなものを使用する場合は、蓋部材２を適宜な位置に留ませることのできるストッパー部材を別に設ける等により、本発明の機能を発揮することができる。
【００３４】
本発明は、前述した実施形態を好ましく提供できるが、これに限定されず、他の変更形態とすることもできる。
例えば、スマートフォンに対応するホルダーに代えて、その大きさを調整することにより、タブレットＰＣ等のタブレット型携帯情報端末用のホルダーにすることも可能である。
【００３５】
また、基材１として、その上方部よりも下方部の重量が大きくなるような構造を備えたものを用いることで、スマートフォン２０を含む保持部材４を引き伸ばしたときにホルダー１０全体のバランス（安定性）が良くなるため好ましい。
【００３６】
かかる構造の例としては、図８（ａ）に示すように、基材１の最下部を左右方向に２箇所（各１ｃｍ程度）延在させて、該延在部に錘（おもり）部材としての柱状のゴム５ａ，５ａを取り付けた構造が挙げられる。このような構造にすれば、蓋部材２を開いて保持部材４に保持したスマートフォン２０を引き伸ばす場合（図８（ａ）参照）や、持ち運び、収納、操作等の元の機能を損なうことなく、ホルダー全体のバランスをより良くすることができ、より安定したものとする効果がある。
【００３７】
また他の実施形態として、図８（ｂ）に示すように、蓋部材２の底面部２３（ヒンジ部３の上位置）がある箇所を除く基材１の最下部を下方向に２箇所（各１ｃｍ程度）延在させて、該延在部に柱状の錘部材としてのゴム５ｂ，５ｂを取り付けた構造とすることもできる。この場合は、底面部２３の大きさに応じて、錘部材としてのゴム５ｂの横幅を少し長く（好ましくは１．５〜２ｃｍ程度）することもできる。このような構造にすれば、蓋部材２を開いて保持部材４に保持したスマートフォン２０を引き伸ばす場合（図８（ｂ）参照）や、持ち運び、収納、操作等の元の機能を損なうことなく、ホルダー全体を安定化できるとともに、デザイン上横への広がりを抑えたものとする効果がある。
なお、錘部材の形状や材質は特に制限されず、他のものに変更することもできる。
【００３８】
また、スリット２１の長さは、前述した実施形態よりも上部まで長くすることもできる。基材１の材質や剛性等との兼ね合いにもよるが、縦（長手方向）の長さの９割程度までスリットを設けることもできる。この場合、より高い位置までスマートフォン２０を引き伸ばすことができ、画面表示内容が見やすくなる等により一層本発明の機能を発揮できる。
【００３９】
また、スリット２１を有する蓋部材２に代えて、スリットのない蓋部材を用いて、該蓋部材の左右両側で、保持部材側一面上にスライド部材の左右を収容可能な構造とし、該蓋部材の片側をバネ等により該スライド部材の一部と段階的に嵌合するようにすれば（カッターナイフ様）、段階的にスマートフォンの引き伸ばしを行うことができ、前述した実施形態と同様の効果が得られるため好ましい。
【００４０】
また、図８（ａ）及び（ｂ）に示す基材１の片面の所定部位に錘部材５ａ、５ｂを用いた実施形態に代えて、基材の両面の所定部位にゴム等の錘部材を用いたものや、基材の両側面の所定部位をゴム等の錘部材で覆ったもの等も、本発明において広く採用できる。
【００４１】
さらに、スライド部材２２と保持部材４との間に、回転を可能とする部材を挟み込んで取り付けることで、スマートフォン２０を含む保持部材４を適宜な位置にスライドさせた後、スマートフォン２０を９０°回転させて左右横向きにしたり、１８０°回転させて下向きにすることもできる。このような回転可能部材のほか種々の部材を取り入れることで、多機能ホルダーとして提供することが可能となる。
【産業上の利用可能性】
【００４２】
本発明は、スマートフォンなどの携帯機器の持ち運び、収納、開閉、位置調整、操作等の複数の機能を一体的に持ち合わせた携帯機器用ホルダーとして、産業上の利用可能性を有する。
【符号の説明】
【００４３】
１０…携帯機器用ホルダー
１…基材
１１…吊り下げ用紐取り付け部
１２…吊り下げ用紐
２…蓋部材
２０…携帯機器（スマートフォン）
２１…スリット
２２…スライド部材
２３…底面部
２４…蓋止め部材
３…ヒンジ部
４…携帯機器の保持部材
５ａ，５ｂ…錘部材（ゴム）
【要約】
【課題】持ち運び、収納、開閉、位置調整、操作等の複数の機能を一体的に持ち合わせた携帯機器用ホルダーを提供する。
【解決手段】携帯機器用ホルダー１０は、携帯機器と面積が同程度か又はそれよりもやや大きい板状の基材１と、携帯機器を基材１とともに相互に対向して覆うための板状の蓋部材２と、基材１と蓋部材２とを繋いでそれらを開閉可能になすためのヒンジ部３と、携帯機器を嵌合させて保持するための保持部材４を備える。蓋部材２は、保持部材４により保持された携帯機器を蓋部材２の面に沿って移動させるためのスライド部材が設けられており、基材１は、その上方部よりも下方部の重量が大きくなるような構造（例えば、基材１の最下部の延在部に錘部材５ａ又は５ｂを取り付けた構造等）を備えている。
【選択図】図８【図１】
0006046846.tif 000002
【図２】
0006046846.tif 000003
【図３】
0006046846.tif 000004
【図４】
0006046846.tif 000005
【図５】
0006046846.tif 000006
【図６】
0006046846.tif 000007
【図７】
0006046846.tif 000008
【図８】
0006046846.tif 000009